(57)【要約】      （修正有）【課題】複雑な形状が得られ、細かい透かしや微細な家紋が製作でき、自由な色調や模様が得られ、地震や強風に耐え、破損した場合、破損部だけを自由に交換できる墓囲い用墓塀を提供する。【解決手段】墓囲い用墓塀１０において、支柱１１が、笠木１２、中棧１３、巾木１４で連結され、墓石１５の周囲を囲う。支柱１１には、擬宝珠１６が載せられる。笠木１２と中棧１３は、上部縦骨１７で連結される。中棧１３と巾木１４は、下部縦骨１８で連結される。中棧１３、巾木１４、下部縦骨１８により囲まれた空間に、幕板１９が設置される。支柱１１には、袖枠２０が取り付けられる。支柱１１と袖枠２０の間に袖パネル２１が設置される。支柱１１、袖枠２０は、墓地の基礎２３にネジ止めされる。墓囲い用墓塀１０の各部品は、ステンレス鋼またはアルミニウム合金、あるいはそれらの組合せからなる。【選択図】図１
0003167661.tif 000002
【実用新案登録請求の範囲】
【請求項１】
墓石または墓塔の周囲を囲う墓囲い用墓塀であって、
支柱と、
前記支柱を連結する笠木と、
前記支柱を連結する巾木を備え、
前記支柱、前記笠木および前記巾木の一部または全部が金属製である墓囲い用墓塀。
【請求項２】
前記支柱を連結する中棧を備え、
前記中棧の一部または全部が金属製である、請求項１に記載された墓囲い用墓塀。
【請求項３】
前記支柱の上端に擬宝珠を備え、
前記擬宝珠の一部または全部が金属製である、請求項１または２に記載された墓囲い用墓塀。
【請求項４】
前記笠木と前記中棧を連結する上部縦骨を備え、
前記上部縦骨の一部または全部が金属製である、請求項１から３のいずれかに記載された墓囲い用墓塀。
【請求項５】
前記中棧と前記巾木を連結する下部縦骨を備え、
前記下部縦骨の一部または全部が金属製である、請求項１から４のいずれかに記載された墓囲い用墓塀。
【請求項６】
前記笠木と前記巾木の間に幕板を備え、
前記幕板の一部または全部が金属製である、請求項１から５のいずれかに記載された墓囲い用墓塀。
【請求項７】
前記支柱に取り付けられた袖枠および袖パネルを備え、
前記袖枠および前記袖パネルの一部または全部が金属製である、請求項１から６のいずれかに記載された墓囲い用墓塀。
【請求項８】
前記支柱が基礎にネジ止めされた、請求項１から７のいずれかに記載された墓囲い用墓塀。
【請求項９】
前記支柱、前記笠木、前記巾木、前記中棧、前記擬宝珠、前記上部縦骨、前記下部縦骨、前記幕板、前記袖枠、前記袖パネルを構成する金属が、ステンレス鋼またはアルミニウム合金、あるいはそれらの組合せからなる、請求項１から８のいずれかに記載された墓囲い用墓塀。
【考案の詳細な説明】
【技術分野】
【０００１】
本考案は、墓石、墓塔の周囲を囲う墓囲い用墓塀に関する。
【背景技術】
【０００２】
図６は従来の一般的な墓囲い用墓塀１００の側面図である（特許文献１）。従来の墓囲い用墓塀１００では、複数の支柱１０１を、上枠１０２、下枠１０３で連結し、墓石、墓塔の周囲を囲う。支柱１０１の上端にキャップ１０４が載せられる。
【０００３】
支柱１０１、上枠１０２、下枠１０３、キャップ１０４は、通常、御影石（花崗岩）、安山岩、斑糲岩、閃緑岩などの石材で製作される。しかし石材を加工して複雑な形状を製作することは難しい。また、細かい透かしを入れること、あるいは、微細な家紋を彫り込むようなことはさらに難しく、高い費用を要する。
【０００４】
また、石材にはそれぞれ固有の色調や模様があるため、顧客の要望に応じた色調や模様を自由に実現することは難しい。
【０００５】
また、支柱１０１は、通常、基礎１０５の上に載せてある。そのため、従来の墓囲い用墓塀１００は基礎１０５との結合が弱く、地震や強風により、ずれたり倒れたりするおそれがある。
【０００６】
また、支柱１０１、上枠１０２、下枠１０３あるいはキャップ１０４が破損したとき、破損部分だけを交換することができない。その理由は、破損した部分（色調は経年変化している）と同じ色調や模様の石材を入手することが困難だからである。似た色調や模様の石材で破損部品を作製して交換しても、満足を得られる仕上がりは期待できない。そのため、墓囲い用墓塀１００の一部が破損した場合でも、墓囲い用墓塀１００全体を交換しなければならなくなる。
【先行技術文献】
【特許文献】
【０００７】
【特許文献１】特開平７−２５９３８３号公報
【考案の概要】
【考案が解決しようとする課題】
【０００８】
従来の墓囲い用墓塀には、複雑な形状が得られ難い、細かい透かしや微細な家紋の製作は難しい、自由な色調や模様が得られない、地震や強風に弱い、破損しても部分的に交換できない、という問題があった。
【０００９】
本考案の目的は、複雑な形状が得られ、細かい透かしや微細な家紋が製作でき、自由な色調や模様が得られ、地震や強風に耐え、破損した場合、破損部だけを自由に交換できる墓囲い用墓塀を実現することである。
【課題を解決するための手段】
【００１０】
（１）本考案の墓囲い用墓塀は、墓石または墓塔の周囲を囲う墓囲い用墓塀である。本考案の墓囲い用墓塀は、支柱と、支柱を連結する笠木と、支柱を連結する巾木を備え、支柱、笠木および巾木の一部または全部が金属製である。
（２）本考案の墓囲い用墓塀は、支柱を連結する中棧を備え、中棧の一部または全部が金属製である。
（３）本考案の墓囲い用墓塀は、支柱の上端に擬宝珠を備え、擬宝珠の一部または全部が金属製である。
（４）本考案の墓囲い用墓塀は、笠木と中棧を連結する上部縦骨を備え、上部縦骨の一部または全部が金属製である。
（５）本考案の墓囲い用墓塀は、中棧と巾木を連結する下部縦骨を備え、下部縦骨の一部または全部が金属製である。
（６）本考案の墓囲い用墓塀は、笠木と巾木の間に幕板を備え、幕板の一部または全部が金属製である。
（７）本考案の墓囲い用墓塀は、支柱に取り付けられた袖枠および袖パネルを備え、袖枠および袖パネルの一部または全部が金属製である。
（８）本考案の墓囲い用墓塀においては、支柱が基礎にネジ止めされる。
（９）本考案の墓囲い用墓塀においては、支柱、笠木、巾木、中棧、擬宝珠、上部縦骨、下部縦骨、幕板、袖枠、袖パネルを構成する金属が、ステンレス鋼またはアルミニウム合金、あるいはそれらの組合せからなる。
【考案の効果】
【００１１】
本考案により、複雑な形状が得られ、細かい透かしや微細な家紋が製作でき、自由な色調や模様が得られ、地震や強風に耐え、破損した場合、破損部だけを自由に交換できる墓囲い用墓塀が実現された。
【図面の簡単な説明】
【００１２】
【図１】本考案の墓囲い用墓塀の斜視図
【図２】本考案の墓囲い用墓塀の正面図
【図３】本考案の墓囲い用墓塀の側面図
【図４】本考案の墓囲い用墓塀の側面部の組み立て説明図
【図５】本考案の墓囲い用墓塀の正面部の組み立て説明図
【図６】従来の墓囲い用墓塀の側面図
【考案を実施するための形態】
【００１３】
本考案の墓囲い用墓塀においては、複数の支柱が、笠木、中棧、巾木等で連結され、墓石、墓塔の周囲を囲う。中棧の有無や本数は任意である。支柱、笠木、中棧、巾木は金属製であることが望ましいが、一部が非金属製（例えば石材製）でもよい。
【００１４】
支柱の上端に擬宝珠を載せてもよい。擬宝珠は金属製であることが望ましいが、非金属製（例えば石材製）でもよい。金属製の擬宝珠の方が多様なデザインが可能である。
【００１５】
笠木と中棧は、上部縦骨で連結される。中棧と巾木は、下部縦骨で連結される。上部縦骨、下部縦骨の有無や本数は任意である。上部縦骨、下部縦骨は金属製であることが望ましいが、一部が非金属製（例えば石材製）でもよい。
【００１６】
笠木と巾木の間に幕板が設置される。幕板の有無、枚数は任意である。幕板は金属製であることが望ましいが、非金属製（例えば石材製）でもよい。金属製の幕板の方が複雑な透かしや模様を入れやすい。
【００１７】
正面左右の支柱には、袖枠が取り付けられる。支柱と袖枠の間に袖パネルが設置される。袖枠と袖パネルの有無、枚数は任意である。袖枠、袖パネルは金属製であることが望ましいが、非金属製（例えば石材製）でもよい。金属製の袖パネルの方が多様なデザインが可能である。
【００１８】
支柱は基礎にネジ止め、嵌め合い、あるいは接着剤などにより固定される。そのため、墓囲い用墓塀が地震や強風でずれたり、倒れたりするおそれはない。しかし、墓囲い用墓塀を分解する必要があるとき、支柱は基礎から容易に外すことができる。
【００１９】
支柱、笠木、中棧、巾木、擬宝珠、上部縦骨、下部縦骨、幕板、袖枠、袖パネルに用いられる金属としては、耐久性、加工性、着色性、価格、入手の容易性等を考慮すると、ステンレス鋼またはアルミニウム合金、あるいはそれらの組合せが適している。ステンレス鋼、アルミニウム合金は広範囲の色調および模様の着色が可能であり、石材では不可能な色調および模様を実現することができる。またステンレス鋼、アルミニウム合金は錆びにくいため、風雨にさらされても、ほとんど変色、腐食せず、半永久的に使用できる。
【実施例】
【００２０】
以下、本考案の墓囲い用墓塀の実施例を説明するが、以下に述べる材料や数量は一例であり、本考案はこれに限られるものではない。
【００２１】
図１は本考案の墓囲い用墓塀１０の一例の斜視図である。本考案の墓囲い用墓塀１０においては、複数の支柱１１が、笠木１２、中棧１３、巾木１４で連結され、墓石１５の周囲を囲う。
【００２２】
支柱１１の上端には、擬宝珠１６が載せられる。笠木１２と中棧１３は、上部縦骨１７で連結される。中棧１３と巾木１４は、下部縦骨１８で連結される。中棧１３、巾木１４、下部縦骨１８により囲まれた空間に、幕板１９が設置される。正面左右の支柱１１には、袖枠２０が取り付けられる。支柱１１と袖枠２０の間に袖パネル２１が設置される。支柱１１は、ベースプレート２５を介して、墓地の基礎２３にネジ止めされる。袖枠２０は、墓地の基礎２３にネジ止めされる。
【００２３】
図２は本考案の墓囲い用墓塀１０の一例の正面図である。袖パネル２１には、非常に微細な家紋２２が彫刻されている。このような非常に微細な家紋２２を、石材に彫刻するのは難しい。擬宝珠１６は金属リボンを組合せた中空の球体である。このような中空の擬宝珠１６を石材で製作することは極めて難しい。擬宝珠１６は、支柱１１にネジ止めされており、地震や強風で落ちるおそれはない。
【００２４】
支柱１１、袖枠２０は、墓地の基礎２３にネジ止めされているため、地震や強風で外れたり、ずれたりするおそれはない。支柱１１、袖枠２０は、ネジ止めの代わりに、基礎２３に固く嵌め込まれてもよい。あるいは、支柱１１、袖枠２０は、基礎２３に接着剤で固定されてもよい。袖パネル２１は、支柱１１、袖枠２０にネジ止めされているため、地震や強風で外れるおそれはない。
【００２５】
図３は本考案の墓囲い用墓塀１０の一例の側面図である。幕板１９は中棧１３と巾木１４にネジ止めされているため、地震や強風で外れるおそれはない。幕板１９には、複雑な透かし２４が彫り込まれている。このような複雑な透かし２４を石板に彫り込むことは難しい。
【００２６】
本考案の墓囲い用墓塀１０においては、支柱１１、笠木１２、中棧１３、巾木１４、擬宝珠１６、上部縦骨１７、下部縦骨１８、幕板１９、袖枠２０、袖パネル２１が、ネジ止めで組み立てられているため、必要に応じて容易に分解することができる。ネジ止めの代わりに、嵌め合いを用いて組み立ててもよい。
【００２７】
図４は、本考案の墓囲い用墓塀１０の側面部の組み立て説明図である。図示のように、巾木１４の上に、下部縦骨１８、中棧１３、上部縦骨１７、笠木１２が、取付金具を用いてネジ止めされる。巾木１４、下部縦骨１８、中棧１３で囲まれた空間に、幕板１９が取付金具を用いてネジ止めされる。支柱１１が、巾木１４、中棧１３、笠木１２の両端に、取付金具を用いてネジ止めされる。支柱１１の上端に擬宝珠１６がネジ止めされる。支柱１１の下端にベースプレート２５がネジ止めされる。ベースプレート２５は、基礎２３にネジ止めされる。
【００２８】
図５は、本考案の墓囲い用墓塀１０の正面部の組み立て説明図である。図示のように、袖枠２０が支柱１１にネジ止めされる。袖パネル２１が、取付金具を用いて、支柱１１、袖枠２０にネジ止めされる。袖枠２０の下端は、基礎２３にネジ止めされる。このようにして、ほとんど全ての部品がネジ止めにより組み立てられる。
【００２９】
本考案の墓囲い用墓塀は金属製であるため、石材製の墓囲い用墓塀よりも衝撃に強く壊れにくい。たとえ強い衝撃により一部が変形、破損等をした場合でも、全体を分解して、破損部品を容易に交換することができる。本考案の墓囲い用墓塀の各部品は、人工的に着色されているため、交換部品を破損部品と同じ色調や模様で着色することができる。さらに破損部品の色調や模様が経年変化していたとしても、経年変化後の色調や模様に合わせて着色することもできる。そのため、破損部品を交換しても、交換部分が目立たない。これにより、本考案の墓囲い用墓塀においては、一つの部品の破損のため墓囲い用墓塀全体を交換しなければならないということは起きない。
【産業上の利用可能性】
【００３０】
本考案の墓囲い用墓塀は、従来の石材製の墓囲い用墓塀と比べて、複雑な形状が容易に得られ、細かい透かしや微細な家紋の製作が安価に製作でき、自由な色調や模様が得られ、地震や強風に耐え、破損した場合、破損部だけを交換できる。
【符号の説明】
【００３１】
１０ 墓囲い用墓塀
１１ 支柱
１２ 笠木
１３ 中棧
１４ 巾木
１５ 墓石
１６ 擬宝珠
１７ 上部縦骨
１８ 下部縦骨
１９ 幕板
２０ 袖枠
２１ 袖パネル
２２ 家紋
２３ 基礎
２４ 透かし
２５ ベースプレート
１０１ 支柱
１０２ 上枠
１０３ 下枠
１０４ キャップ
１０５ 基礎
【図１】
0003167661.tif 000003
【図２】
0003167661.tif 000004
【図３】
0003167661.tif 000005
【図４】
0003167661.tif 000006
【図５】
0003167661.tif 000007
【図６】
0003167661.tif 000008